(57)【要約】【課題】成形しやすく、現場で切断しやすい形状を有する床パネルを提供する【解決手段】補強部と、切断部とを備えた床パネルであり、床パネルは、平面視において、長方形であり、補強部は、長方形の四辺に対して斜めに傾斜した第１補強リブと、第１補強リブに交差する方向に延びており長方形の四辺に対して斜めに傾斜した第２補強リブとからなる複数の格子部を有しており、切断部は、前記第１補強リブ及び前記第２補強リブが設けられていない仮設住宅用床パネルである。【選択図】図１
2020084433.tif 000002
【特許請求の範囲】
【請求項１】
補強部と、切断部とを備えた床パネルであり、
床パネルは、平面視において、長方形であり、
補強部は、長方形の四辺に対して斜めに傾斜した第１補強リブと、第１補強リブに交差する方向に延びており長方形の四辺に対して斜めに傾斜した第２補強リブとからなる複数の格子部を有しており、
切断部は、前記第１補強リブ及び前記第２補強リブが設けられていない仮設住宅用床パネル。
【請求項２】
切断部は、短手方向に沿って配される請求項１に記載の仮設住宅用床パネル。
【請求項３】
仮設住宅用床パネルは、畳一畳分の寸法であり、
切断部は、畳一畳分を半畳畳に切断することが可能な位置に設けられる請求項１又は２に記載の仮設住宅用床パネル。
【請求項４】
仮設住宅用床パネルの縁部分には、切り欠きから構成される持ち手が配されており、床パネルの縁部分の内側には、第１補強リブ及び第２補強リブが設けられていない請求項１ないし３のいずれかに記載の仮設住宅用床パネル。
【請求項５】
仮設住宅用床パネルは、熱可塑性樹脂と、木チップとを含有する素材で構成される請求項１ないし４のいずれかに記載の仮設住宅用床パネル。
【発明の詳細な説明】
【技術分野】
【０００１】
本発明は、主に仮設住宅の床に敷設して使用される床パネルに関する。
【背景技術】
【０００２】
災害時や工事現場の休憩所などとして仮設住宅が利用されている。仮設住宅を建設する際には、土中に複数の杭などの支持材を設置し、その支持材の上に複数の梁を設置し、その梁の上に複数の床パネルを設置して、床面を構成する。
【０００３】
床パネルは、木材で構成されることが多いが、例えば、特許文献１のように、合成樹脂材料で構成したものが知られている。特許文献１の床パネルは、補強リブ１４を備えている。
【先行技術文献】
【特許文献】
【０００４】
【特許文献１】特開平７−２２４５１８号公報
【発明の概要】
【発明が解決しようとする課題】
【０００５】
特許文献１のように複数の補強リブを備える床パネルを合成樹脂で構成する場合においては、床パネルを製造する際に成形不良が発生することがあった。床パネルを合成樹脂を用いて成形する際には、金型を用いて、所望の形状を有する床パネルを成形することになるが、複数の補強リブを有する形状を金型で成形しようとした場合は、合成樹脂が床パネルの隅々まで行き渡りにくく、床パネルの成形に問題が生じることがあった。
【０００６】
一方で、仮設住宅を建設する際には、間取りに応じて、床パネルを切断して使用することがある。このため、建設現場で切断しやすい床パネルが望ましい。
【０００７】
本発明は、成形しやすく、現場で切断しやすい形状を有する床パネルを提供することを目的とする。
【課題を解決するための手段】
【０００８】
補強部と、切断部とを備えた床パネルであり、床パネルは、平面視において、長方形であり、補強部は、長方形の四辺に対して斜めに傾斜した第１補強リブと、第１補強リブに交差する方向に延びており長方形の四辺に対して斜めに傾斜した第２補強リブとからなる複数の格子部を有しており、切断部は、前記第１補強リブ及び前記第２補強リブが設けられていない仮設住宅用床パネル（本明細書では、単に床パネルと称することがある。）により、上記の課題を解決する。この床パネルでは、補強部は、長方形の四辺に対して斜めに傾斜した第１補強リブと、第１補強リブに交差する方向に延びており長方形の四辺に対して斜めに傾斜した第２補強リブとからなる複数の格子部を有しているため、床パネルを成形する際に、合成樹脂が床パネルの角部へ流れやすく、成形不良が発生しにくい形状となっている。また、第１補強リブ及び第２補強リブが設けられていない切断部が設けられているため、建設現場において、床パネルを切断しやすい形状となっている。
【０００９】
上記の床パネルにおいて、切断部は、床パネルの短手方向に沿って配される形状とすることが好ましい。これによって、床パネルの長手方向の長さを調節して、間取りに合うにように寸法を調節することが可能となる。
【００１０】
仮設住宅用床パネルは、畳一畳分の寸法であり、切断部は、畳一畳分を半畳畳に切断することが可能な位置に設けられる形状とすることが好ましい。日本の住宅は、畳の寸法が基本寸法とされている。切断部の位置を上記のようにすることで、床パネルを畳一畳分と、半畳の畳の寸法とで、使い分けられるようにすることができる。
【００１１】
仮設住宅用床パネルの縁部分には、切り欠きから構成される持ち手が配されており、床パネルの縁部分の内側には、第１補強リブ及び第２補強リブが設けられていない形状とすることが好ましい。持ち手を設けることによって、例えば、集積場所や貨物車両の荷台に積み上げられた、床パネルを運搬する際に、手を持ち手部分に差し入れて持つことによって、床パネルを円滑に運搬することが可能になる。床パネルの縁部分の内側に第１補強リブ及び第２補強リブを設けない形状とすることによって、第１補強リブ又は第２補強リブが、手を持ち手に差し入れる際に邪魔になることを防止することができる。
【００１２】
仮設住宅用床パネルは、熱可塑性樹脂と、木チップとを含有する素材で構成することが好ましい。木チップが軽量な補強材として機能するため、軽量で強度のある床パネルとすることができる。木チップを配合すると、床パネルを成形する際に熱可塑性樹脂の流動性が低下して成形性が損なわれることがある。上記の床パネルは、成形性を向上させるように形状を工夫しているので、木チップと熱可塑性樹脂とを含有する素材との相性がよい。
【発明の効果】
【００１３】
本発明によれば、成形しやすく、現場で切断しやすい形状を有する床パネルを提供することができる。
【図面の簡単な説明】
【００１４】
【図１】仮設住宅用床パネルの一実施形態を示す底面図である。
【図２】図１の仮設住宅用床パネルの平面図である。
【図３】図１の仮設住宅用床パネルの正面図である。
【図４】図１の仮設住宅用床パネルの左側面図である。
【図５】図１の仮設住宅用床パネルの斜視図である。
【図６】図１の仮設住宅用床パネルを裏返した状態を示す斜視図である。
【図７】仮設住宅用床パネルの他の実施形態を示す斜視図である。
【図８】図７の仮設住宅用床パネルを分離した状態を示す斜視図である。
【図９】図１の仮設住宅用床パネルの製造過程の一例を示す図である。
【図１０】図９の金型の上に合成樹脂原料を乗せた状態を上方から見た状態を示す図である。
【図１１】仮設住宅用床パネルの敷設例を示す図である。
【図１２】仮設住宅用床パネルの敷設例を示す図である。
【発明を実施するための形態】
【００１５】
以下、図面を参照しつつ、本発明の仮設住宅用床パネルの実施形態について説明する。図１ないし図６に仮設住宅用床パネルの一実施形態を示す。図７及び図８に仮設住宅用床パネルの他の実施形態を示す。図９及び図１０に仮設住宅用床パネルの製造方法の一例を示す。そして、図１１及び図１２に仮設住宅用床パネルの敷設する際の例を示す。
【００１６】
図１ないし図６に示したように、本実施形態の仮設住宅用床パネル５（以下、単に「床パネル」と称する。）は、補強部と、切断部とを備えており、平面視において、長方形状である。
【００１７】
図１に示したように、補強部は、床パネル５の長方形の四辺に対して斜めに傾斜した角度で配置される第１補強リブ５１と、第１補強リブ５１に交差する方向に延びており長方形の四辺に対して斜めに傾斜した角度で配置される第２補強リブ５２とからなる複数の格子部５３を有する。一方、切断部は、床パネル５の長方形の四辺に対して斜めに傾斜した角度で配置される第１補強リブ５１と、第１補強リブ５１に交差する方向に延びており長方形の四辺に対して斜めに傾斜した角度で配置される第２補強リブ５２とが設けられていない形状とされている。
【００１８】
本実施形態の床パネル５は、図５及び図６に示したように、平面視において長方形状の平坦部８１と、平坦部８１の縁部から下方に延びる形状の側壁８２を有する形状である。平坦部８１の一方の面は床面を構成する。平坦部８１の他方の面には、上記の第１補強リブ５１及び第２補強リブ５２が設けられている。第１補強リブ５１及び第２補強リブ５２は、平坦部８１の下方に延びる形状である。
【００１９】
図５及び図６に示したように、第１補強リブ５１及び第２補強リブ５２は、板状の部材である。板の基端部が平坦部８１の他方の面に固定されている。第１補強リブ５１及び第２補強リブ５２は互いに交差した形状であり、床パネル５を他方の面から見ると複数の格子が表れる形状となっている。このようにして、格子部５３が形成されている。なお、第１補強リブ５１と第２補強リブ５２とから形成される格子は、中空となっており、床パネルの軽量化を図ると共に床パネルとして必要な強度を発揮できるようになっている。第１補強リブ５１及び第２補強リブ５２は、任意の角度で交差し、例えば、ひし形状、正方形状、長方形状、又は平行四辺形状など、任意のパターンの格子が構成されるようにすることができる。
【００２０】
本実施形態の床パネル５では、図１に示したように、格子部５３は、床パネル５の他方の面に計６個配置されている。それぞれの格子部５３は、斜め方向に延びる第１補強リブ５１と第２補強リブ５２とが設けられていない切断部によって、分断された形状となっている。換言すると、切断部は、複数の格子部に挟まれた位置関係で配置されている。図１の例では、床パネル５の短手方向に沿って延びる第１切断部５７と、床パネルの長手方向に沿って延びる第２切断部６２及び第３切断部６７を有する形状である。
【００２１】
第１切断部５７は、床パネル５の短手方向に沿って延びる２本の補強リブ５４、５５と、床パネル５の長手方向に沿って延びる複数本の補強リブ５６を備えている。補強リブ５６の両端部は、上記２本の補強リブ５４、５５に接続された形状である。上記２本の補強リブ５４、５５によって、第１切断部５７と格子部５３とが区画された形状とされている。そして、補強リブ５６によって、床パネル５に応力が作用した際に切断部５７の部分で床パネル５が折れたりすることを防ぐ形状となっている。
【００２２】
第２切断部６２は、床パネルの長手方向に沿って延びる２条の補強リブ５８、５９と、短手方向に沿って延びる複数本の補強リブ６０、６１とを有する形状である。補強リブ６０、６１の一端部は、長手方向に延びる補強リブ５８、５９に接続された形状である。補強リブ６０、６１の他端部は、第１補強リブ５１及び第２補強リブ５２から構成される格子部５３に接続された形状となっている。第２切断部６２には、床パネル５の短手方向に沿って配される補強リブ６８が配される形状となっている。第２切断部６２に設けられる補強リブ６８の数は、第１切断部に設けられる補強リブ５６よりも少なく構成されている。
【００２３】
第３切断部６７は、床パネルの長手方向に沿って延びる２条の補強リブ６３、６４と、短手方向に沿って延びる複数本の補強リブ６５、６６とを有する形状である。補強リブ６５、６６の一端部は、長手方向に延びる補強リブ６３、６４に接続された形状である。補強リブ６５、６６の他端部は、第１補強リブ５１及び第２補強リブ５２から構成される格子に接続された形状となっている。第３切断部６７には、床パネル５の短手方向に沿って配される補強リブ６８が配される形状となっている。第３切断部に設けられる補強リブ６８の数は、第１切断部に設けられる補強リブ５６よりも少なく構成されている。
【００２４】
床パネルは、任意の素材で構成することができる。例えば、フェノール樹脂などの熱硬化性樹脂、ポリエチレンなどの熱可塑性樹脂、又は合成樹脂と木チップとの混合物などから構成することができる。木チップは、例えば、木の枝、間伐材、又は木質建材などの廃材などを破砕したものを使用することができる。
【００２５】
上記のように床パネルを合成樹脂材料を含有する素材で成形する場合には、図９に示したように、例えば、熱プレスによって、床パネルを製造することができる。図９に示した熱プレスでは、金型１０４を固定した上型１０１と金型１０４を固定した下型１０２との間に、合成樹脂原料の塊１０３を、複数個配置して、上型１０１と下型１０２との間に合成樹脂原料の塊１０３を挟みこむ。挟み込む際に合成樹脂原料は、金型の形に添って、展延されて、所望の形状に成形される。その他、射出成型などによっても床パネルを製造することができる。
【００２６】
本実施形態の床パネル５は、上述のように、長方形の四辺に対して傾斜した第１補強リブ５１と、第１補強リブに交差する方向に延びており長方形の四辺に対して斜めに傾斜した第２補強リブ５２とを有する。図１０において矢印で示したように、金型１０４における第１補強リブ５１又は第２補強リブ５２に対応する形状に沿って合成樹脂が移動するため、床パネル５２の角の方向へも合成樹脂原料が展延しやすくなっている。これによって、床パネルの角部分などにおける合成樹脂の展延の不足や充填の不足による成形不良を抑えることができる。特に、合成樹脂原料に木チップを配合した場合は、合成樹脂の流動性が変化して、合成樹脂の展延する度合いが低下することがある。床パネルの形状の工夫することによって、展延の不具合をおさえて、歩留まりよく、軽量かつ強度の高い床パネルを製造することが可能になる。
【００２７】
第１補強リブ５１又は第２補強リブ５２は、床パネル５の四辺に対して傾斜した状態となればよく、その限りにおいて、任意の角度で配置することができる。例えば、床パネル５の長手方向に沿う線を０°としたときに、第１補強リブ５１又は第２補強リブ５２と、長手方向に沿う線とが為す角度が、２０〜６０°となるようにすることが好ましい。また、第１補強リブ５１と第２補強リブ５２とが為す角度が９０〜１２０°となるようにすることが好ましい。第１補強リブ５１及び第２補強リブ５２を、このように配置することによって、合成樹脂原料が床パネルの角部にまでより届きやすくなる。これによって、成型時の歩留まりをより一層向上させることができる。
【００２８】
図１１及び図１２に、仮設住宅における床パネルの敷設例を示したように、仮設住宅を建設する場合には、土地の面積や、施主の希望により、様々な間取りで仮設住宅を建設することが求められる。図１１の例では、玄関部分を囲むように計１５枚の畳一畳分の寸法を有する床パネルを敷設し、右下の半端なスペースに畳半畳分の寸法を有する床パネルを敷設することが求められる。なお、図１１においては、個々の床パネルに付した番号は、図の下に記載した番号と対応している。例えば、「１」を付した床パネルは、床パネルの寸法が１８１８ｍｍ×９０８ｍｍであることを示す（以下の図１２においても同様とする。）。
【００２９】
図１２の例では、物置と階段室を囲むように、畳一畳分の寸法を有する床パネルを計２０枚敷設し、畳半畳分の寸法を有する床パネルを計８枚敷設し、１８１８ｍｍ×６０６ｍｍの半端な寸法の床パネルを計３枚敷設し、９０８ｍｍ×３０２ｍｍの半端な寸法の床パネルを計４枚敷設し、１８１８ｍｍ×３０２ｍｍの半端な寸法の床パネルを計２枚敷設することを要する。
【００３０】
日本の建築物は、畳の寸法を基に間取りが設計されている。畳一畳分の床パネル５だけで床面を構築できるのであればよいが、図１１又は図１２の例のように、半端が生じる場合に問題となる。すなわち、そのような、半端分も見越して、寸法の異なる床パネルを準備しておく必要があり、在庫管理や運搬の際の手数が問題となる。その点、本実施形態の床パネル５であれば、切断部を設けてあるので、仮設住宅の建築現場で必要に応じて、床パネルを切断して、半端なスペースを埋めることが可能である。
【００３１】
例えば、図１１及び図１２の「２」の床パネルであれば、図１のＢＢ部分において床パネルを切断することにより、半畳の寸法を有する畳を得ることができる。また、例えば、図１２の「３」又は「５」の床パネルであれば、図１のＣＣ部分及びＤＤ部分のいずれか一方の位置において床パネルを切断すればよい。この場合、切断した床パネルのうちの一方が「３」の床パネルとなり、他方の床パネルが「５」の床パネルとなる。また、例えば、図１２の「４」の床パネルであれば、図１のＢＢ部分と、ＣＣ部分及びＤＤ部分のうちいずれか一方の部分とにおいて床パネルを切断すればよい。
【００３２】
床パネルの切断に際しては、例えば、電動又は手動の鋸など、適宜の手段で切断することが可能である。切断部には、上述の通り、第１補強リブ５１又は第２補強リブ５２が設けられていないので、床パネルを切断しやすい。また、床パネル５を切断する際に、第１補強リブ５１又は第２補強リブ５２が設けられていない場所を目印として、切断すればよいので、切断個所の位置決めが容易になる。
【００３３】
本実施形態の床パネル５は、図５及び図６に示したように、縁部分に切り欠きから構成される持ち手７０が配されている。持ち手７０は、側壁８２の下端部から側壁８２の上端部に達しない程度の切り欠きとされている。切り欠きの角は円弧状に処理されている。床パネル５の縁部分の内側、すなわち、側壁の内側の部分には、図１及び図６に示したように、第１補強リブ５１及び第２補強リブ５２が設けられておらず、中空な形状とされている。このため、作業者が持ち手に手指を差し入れた際に、第１補強リブ５１や第２補強リブ５２が干渉しないようにされている。
【００３４】
床パネル５の縁部分の内側には、床パネルの長手方向に沿って延びる補強リブ８４と、床パネルと短手方向に沿って延びる補強リブ８５が配される。これによって、床パネル５の縁部分の内側を補強している。
【００３５】
床パネルを積み上げて運搬する際、又はパレットなどの資材を置くための台から床パネルを持ち上げる際などにおいて、持ち手があると、作業者は手指を掛けやすくなるので作業効率が向上する。本実施形態の床パネル５では、左右の側面の短手方向の２辺にそれぞれ２個の持ち手が配されており、正面及び背面の長手方向の２辺にそれぞれ２個の持ち手が配されている。
【００３６】
本実施形態の床パネル５は、図５に示したように、その側壁８２に比して、外側に突出した凸部８６を備える。凸部８６は、床パネル５の短手方向に連続する突条であり、床パネル５の平坦部８１の側に設けられる。図５に示したように、凸部８６が延びる方向に交差するように、複数の補強用の突起８７が設けられる。突起８７は、凸部８６と側壁８２とに接するように設けられており、凸部８６に外力が作用した際に、意図せずに凸部８６が折れることを防止する。
【００３７】
本実施形態の床パネル５は、上記のような凸部８６を備えている。床パネル５を敷設する作業の終盤において、間取りの寸法誤差や、床パネル自体の寸法誤差により、床パネル５が収まらなくなることがある。そうした場合に、凸部８６を除去することにより、床パネル５の寸法を調整して、床パネルが収まるように修正を行うことが可能になる。上記の凸部及び突起は、床パネルの長手方向に設けてもよい。
【００３８】
本実施形態の床パネルは、平坦部８１の縁部分に、複数の凹穴８８を有する。複数の床パネル５を隣接させた状態で、凹穴８８に図示しない固定用金具を嵌めることによって、隣接する床パネル５を固定できるようになっている。
【００３９】
本実施形態の床パネルは、持ち手７０を備えており、全体として扁平な形状を有している。床パネルは、農業資材や音響機器など機器などを、置くための台としても使用することができる。また、床パネルは、校庭などに複数枚を敷設して、雨天時の通路としても使用することができる。
【００４０】
上記の実施形態では、床パネル５の第１補強リブ５１及び第２補強リブ５２が露出した状態で使用に供する。図７及び図８に示したように、床パネルの第１補強リブ５１及び第２補強リブ５２を設けた面が対向するように、床パネルを接合して、中空構造の床パネルとして使用することも可能である。床パネルの接合は、例えば、熱融着により行うことが可能である。床パネル５を接合した場合は、図７に示したように、２つの持ち手７０が結合して、側壁８２で囲まれた閉じた孔が形成される。
【００４１】
切断部は、斜め方向に配置される第１補強リブ及び斜め方向に配置される第２補強部が設けられない形状であればよく、その形態は上記の実施形態のものに限られない。例えば、切断部の、補強リブは、省略してもよい。また、切断部の個数や切断部を設ける位置も上記の実施形態のものに限られない。
【００４２】
補強部は、第１補強リブ及び第２補強リブからなる格子部を有するものであればよく、その形態は上記の実施形態のものに限定されない。例えば、格子部の数や、第１補強リブ又は第２補強リブの角度や、格子部を設ける位置などは上記の実施形態のものに限定されない。
【００４３】
上記の実施形態に係る床パネルでは、畳の一畳分を１８１８ｍｍ×９０８ｍｍとした。ハウスメーカーによって畳一畳分の寸法の規格が異なる。畳一畳分の寸法は、上記の実施形態に限定されず、規格に合わせて、変動させることができる。
【符号の説明】
【００４４】
床パネル
第１補強リブ
第２補強リブ
格子部
持ち手
第１切断部
第２切断部
第３切断部
【図１】
2020084433.tif 000003
【図２】
2020084433.tif 000004
【図３】
2020084433.tif 000005
【図４】
2020084433.tif 000006
【図５】
2020084433.tif 000007
【図６】
2020084433.tif 000008
【図７】
2020084433.tif 000009
【図８】
2020084433.tif 000010
【図９】
2020084433.tif 000011
【図１０】
2020084433.tif 000012
【図１１】
2020084433.tif 000013
【図１２】
2020084433.tif 000014